(57)【特許請求の範囲】
【請求項１】
一面に開口が設けられ、前記開口を下側にして施工される器具本体と、
前記器具本体の開口に取り付けられる枠体と、
前面側にＬＥＤが配置され、前面が外側を向くようにして前記枠体に載せられる光源ユニットと、
前記光源ユニットの背面側に設けられた放熱板と、
ばね線に曲げ加工を施してＶ字状に形成され、中央部から延出する両側の腕部が自由状態において外側に拡開するとともに、前記器具本体に設けられたバネ受けに前記両側の腕部が支持されるキックバネと、
前記キックバネの中央部が連結されたバネ保持体と、
前記バネ保持体に設けられ、前記光源ユニット及び前記放熱板が載せられた前記枠体に前記バネ保持体が取り付けられた状態で、前記放熱板が備える被係止部に引っ掛けられる係止部とを備えたことを特徴とするＬＥＤ照明器具。
【請求項２】
前記被係止部は、前記放熱板の端縁の略全体を折り曲げて形成されるとともに、前記係止部は、前記バネ保持体の端縁の略全体を折り曲げて形成されることを特徴とする請求項１記載のＬＥＤ照明器具。
【請求項３】
前記バネ保持体が熱伝導性を有する材料で形成されたことを特徴とする請求項１又は２の何れかに記載のＬＥＤ照明器具。
【発明の詳細な説明】
【技術分野】
【０００１】
本発明は、ＬＥＤ照明器具に関するものである。
【背景技術】
【０００２】
従来、天井に埋め込んだ状態で使用される照明器具が提供されている（例えば特許文献１参照）。
【０００３】
特許文献１に開示された照明器具は、一面が開口した箱状の器具本体と、器具本体の開口部分に取り付けられる枠体と、枠体に保持された透光パネルとを備えている。
【０００４】
器具本体は、天井に設けられた埋込孔に、開口を下向きにして埋め込まれている。器具本体の内部には蛍光ランプを装着するためのソケットが取り付けられている。また器具本体には蛍光ランプを点灯させる安定器が取り付けられている。
【０００５】
枠体は、金属製であって、略平行に配置される一対の側枠部と、その側枠部の間に固着されて配光を制御する板状のルーバ部とを備えている。
【０００６】
透光パネルは乳白色の透光性材料で形成されており、ルーバ部の上側に載置された状態で枠体に取り付けられる。
【０００７】
そして、透光パネルを保持した枠体は、一対の側枠部にそれぞれ取り付けられたＶ字形のキックバネを、器具本体の互いに対向する２つの内壁にそれぞれ設けられたばね受けに係止させることによって、器具本体に取り付けられるようになっている。
【先行技術文献】
【特許文献】
【０００８】
【特許文献１】特開平８−３２１２１１号公報
【発明の概要】
【発明が解決しようとする課題】
【０００９】
近年、蛍光ランプに代わる光源として、長寿命で低消費電力のＬＥＤ（発光ダイオード）が普及しつつあり、上述したような天井取付形の照明器具でも光源にＬＥＤを使用することが検討されている。ところで、光源をＬＥＤとする場合、ＬＥＤからの照射光を効率良く外部に取り出せるように、ＬＥＤが実装されたＬＥＤ基板を収納する光源ユニットは枠体に保持されることが望ましい。また、ＬＥＤは高温になると発光効率が低下するため、光源ユニットには、ＬＥＤの発熱を放熱するために、金属製（例えばアルミ合金）の放熱板が取り付けられるのが一般的であり、この放熱板も光源ユニットとともに枠体に保持されることになる。したがって、ＬＥＤを用いた天井取付形の照明器具では、透光パネルに加えて、透光パネルに比べ重量が重い光源ユニットや放熱板が枠体に保持されることになる。従来の照明器具では、枠体に透光パネルを載せた状態で、枠体の一部を折り曲げて形成した押さえ片を透光パネルの上面に当て、透光パネルの上面を押さえることによって透光パネルを保持していた。このような保持構造によって、重量物である光源ユニットや放熱板を枠体に保持させた場合、施工時やメンテナンス時に片側のキックバネのみで枠体が吊り下げられた状態になると、光源ユニットや放熱板の重みで押さえ片が変形し、保持力が弱まる可能性があった。
【００１０】
本発明は上記課題に鑑みて為されたものであり、その目的とするところは、光源ユニット及び放熱板を枠体に保持させる保持力を高めたＬＥＤ照明器具を提供することにある。
【課題を解決するための手段】
【００１１】
上記課題を解決するために、本発明のＬＥＤ照明器具は、器具本体と、枠体と、光源ユニットと、放熱板と、キックバネと、バネ保持体と、係止部とを備える。器具本体は、一面に開口が設けられ、開口を下側にして施工される。枠体は、器具本体の開口に取り付けられる。光源ユニットは、前面側にＬＥＤが配置され、前面が外側を向くようにして枠体に載せられる。放熱板は光源ユニットの背面に設けられている。キックバネは、ばね線に曲げ加工を施してＶ字状に形成され、中央部から延出する両側の腕部が自由状態において外側に拡開するとともに、器具本体に設けられたバネ受けに両側の腕部が支持される。バネ保持体にはキックバネの中央部が連結される。係止部は、バネ保持体に設けられ、光源ユニット及び放熱板が載せられた枠体にバネ保持体が取り付けられた状態で、放熱板が備える被係止部に引っ掛けられる。
【００１２】
このＬＥＤ照明器具において、被係止部は、放熱板の端縁の略全体を折り曲げて形成されるとともに、係止部は、バネ保持体の端縁の略全体を折り曲げて形成されることが好ましい。
【００１３】
このＬＥＤ照明器具において、バネ保持体が熱伝導性を有する材料で形成されることも好ましい。
【発明の効果】
【００１４】
本発明によれば、重量物である光源ユニット及び放熱板を枠体に対して強固に保持させることができる。
【図面の簡単な説明】
【００１５】
【図１】本実施形態のＬＥＤ照明器具の一部破断せる側面図である。
【図２】同上の施工説明図である。
【図３】（ａ）は同上の上面図、（ｂ）は同上の一部破断せる下面図である。
【図４】同上を別方向から見た一部破断せる側面図である。
【図５】同上を構成する点灯ユニットの外観斜視図である。
【図６】同上を構成する点灯ユニットの分解斜視図である。
【図７】同上を構成する光源ユニットの分解斜視図である。
【発明を実施するための形態】
【００１６】
本実施形態のＬＥＤ照明器具について図１〜図７を参照して説明する。尚、以下の説明では、特に断りがないかぎり、図１に示す向きにおいて上下左右の方向を規定し、図１の紙面と垂直な方向を前後方向として説明する。
【００１７】
このＬＥＤ照明器具１は、図１〜図４に示すように、器具本体１０と、点灯ユニット２０とを主要な構成として備えている。
【００１８】
器具本体１０は鋼板により形成され、矩形板状の上壁１１と、上壁１１の４辺から略垂直に延出する側壁１２とで、一面（施工状態における下面）が開口した箱状に形成されている。上壁１１及び側壁１２には、器具本体１０の内側に配置される後述の光源ユニット３０や点灯装置５０ａ，５０ｂで発生した熱を外部に放出するための放熱用孔１３が複数設けられている。この器具本体１０は、天井材１００に設けた埋込孔１０１に埋め込んだ状態で取り付けられるものであり、器具本体１０は埋込孔１０１の寸法よりも小さめの寸法に形成されている。上壁１１には、埋込孔１０１に臨んで建築躯体（図示せず）に設けられた埋込ボルト１０２を通す挿通孔１４が開口しており、挿通孔１４に通した埋込ボルト１０２に座金１５が通され、ナット１６がねじ込まれることで、器具本体１０が建築躯体に固定される。また、互いに対向する２つの側壁１２の内側面には、後述するキックバネ６０を支持する金属製のバネ受け１８が２個ずつ取り付けられている。各バネ受け１８は、側壁１２と略直交する方向にそれぞれ突出し、互いに対向する側縁にキックバネ６０が挿入される凹溝が形成された一対の支持片１８ａを有している。
【００１９】
また、上壁１１の内側面（施工状態における下面）には、光源であるＬＥＤを点灯させるための点灯装置５０ａ，５０ｂと、中継用の端子台５１，５２が取り付けられている。端子台５１は電源用であり、上壁１１に設けた挿通孔１７ａを通して器具本体１０の内部に導入された電源線Ｌ１が接続される。端子台５２は調光信号用であり、上壁１１に設けた挿通孔１７ｂを通して器具本体１０の内部に導入される調光信号線Ｌ２が接続される。而して、各点灯装置５０ａ，５０ｂには端子台５１を介して電源が供給されるとともに、端子台５２を介して調光信号が入力される。
【００２０】
次に点灯ユニット２０について説明する。点灯ユニット２０は、図５及び図６に示すように、枠体２１と、光源ユニット３０を主要な構成として備えている。
【００２１】
枠体２１は表面に白色塗装が施された鋼板からなり、角筒状の筒部２２と、筒部２２の一端側（施工状態における下端側）から側方に延出する鍔部２３とを備えている。筒部２２の側壁のうち、互いに対向する２つの側壁には、それぞれ、一対のキックバネ６０が連結されるバネ保持体２４が螺子止めされている。各バネ保持体２４は、鋼板に曲げ加工及び抜き加工を施して形成される。このバネ保持体２４は、筒部２２の側壁にネジ固定される固定片２５と、固定片２５の先端部（取付状態における上端部）から斜め上側に突出する傾斜片２６と、傾斜片２６の端縁の略全体を斜め下向きに折り返して形成された係止片２７（係止部）を一体に備える。また、各バネ保持体２４には、傾斜片２６から固定片２５の上側部にかけて開口する取付孔２８が前後２箇所に設けられ、各取付孔２８の孔縁にはキックバネ６０を連結するための連結金具６５が連結されている。
【００２２】
キックバネ６０は、ばね鋼線に曲げ加工を施すことによって形成され、コイル状に巻回されたコイル部６１と、このコイル部６１の両端をそれぞれＶ字状に延出させた一対の腕部６２と、各腕部６２の先端を外向きに略直角に折り曲げた引掛部６３とを備えている。コイル部６１は、連結金具６５の一部を折り曲げて形成されたループ部に通されており、自由に動ける状態で連結金具６５を介してバネ保持体２４に連結されている。また引掛部６３には樹脂製のカバー６３ａが取り付けられている。
【００２３】
光源ユニット３０は、図１、図３（ｂ）及び図７に示すように、４枚のＬＥＤ基板３２と、４個の第１反射部材３３と、第２反射部材３４と、取付板３５と、横カバー３６と、透光パネル３９とを備えている。
【００２４】
各ＬＥＤ基板３２は矩形板状（正方形状）に形成され、その一面には複数個の発光ダイオード（ＬＥＤ）３１が縦横に一定の間隔を開けて実装されている。そして、４枚のＬＥＤ基板３２は、ＬＥＤ３１の実装面を下向きにして、縦横に並べて配置されている。
【００２５】
第１反射部材３３は、白色の合成樹脂（例えばポリカーボネート樹脂）により形成され、ＬＥＤ基板３２の下側に重ねて配置される。第１反射部材３３には、ＬＥＤ基板３２に実装されたＬＥＤ３１を個別に露出させる複数の窓孔３３ａが形成されるとともに、各窓孔３３ａの周りには各ＬＥＤ３１の光を個別に反射する反射面３３ｂが形成されている。
【００２６】
第２反射部材３４は、４つの枠片３４ａを組み合わせることによって四角枠状に形成され、縦横に並べられた４つの第１反射部材３３を囲むようにして配置されている。各枠片３４ａは、表面に白色塗装が施された鋼板からなり、その下面は外側に向かって斜め下方に傾斜する反射面となっており、ＬＥＤ３１から側方に照射された光を下向きに反射する。
【００２７】
取付板３５は鋼板からなり、矩形板状の主部３５ａと、主部３５ａの対向二辺からそれぞれ一方向に延出する側片３５ｂと、各側片３５ｂの先端から内側に向かって略直角に突出する支持片３５ｃを一体に備えている。取付板３５は、前後方向から見た形状が略Ｕ字形に形成され、側片３５ｂが形成されていない前後両側と下側とに開放されている。主部３５ａの一面（側片３５ｂが延出する側）には、ＬＥＤ基板３２と第１反射部材３３が重ねて配置され、挿通孔に通したネジ４０を第１反射部材３３にねじ込むことによって、ＬＥＤ基板３２及び第１反射部材３３が取付板３５に取り付けられる。また、主部３５ａの上記一面には、ＬＥＤ基板３２及び第１反射部材３３の周りを囲むようにして第２反射部材３４が配置され、取付板３５の挿通孔に通されたネジ４１を第２反射部材３４の螺子孔にねじ込むことによって、取付板３５に取り付けられている。
【００２８】
透光パネル３９は、乳白色のアクリル樹脂により矩形板状に形成され、主部３５ａに固定された第２反射部材３４の下端部と支持片３５ｃとの間にできる隙間に前後方向の何れかから挿入される（図１参照）。そして、取付板３５の前後両側に横カバー３６をそれぞれ取り付け、前後両側の開口を横カバー３６で塞ぐことによって、支持片３５ｃ及び横カバー３６と第２反射部材３４の下端部との間で透光パネル３９の周縁部が挟持され、透光パネル３９が取付板３５に保持される。
【００２９】
主部３５ａの他面（すなわち光源ユニット３０の背面）には放熱板３７が例えばネジ止めなどの方法で取り付けられている。放熱板３７は略矩形板状のアルミ板に曲げ加工を施して形成され、上述したバネ保持体２４に沿う２つの辺には、その端縁の略全体を斜め上向きに折り返すことによって被係止片３７ａ（被係止部）が形成されている。
【００３０】
放熱板３７の上面には、鋼板からなるコネクタカバー３８，３８が着脱自在に取り付けられる。放熱板３７の上面には、各ＬＥＤ基板３２の給電用コネクタ３２ａ（プラグ又はソケットの何れか）が露出しており、コネクタカバー３８がコネクタ３２ａの上側を覆うことによって、コネクタ３２ａに埃などの異物が溜まるのを抑制している。
【００３１】
この光源ユニット３０を枠体２１に取り付ける際は、バネ保持体２４が枠体２１から外された状態で、施工者が、光源ユニット３０を筒部２２内に上側から挿入し、光源ユニット３０を鍔部２３の上側に載置する。その後、施工者は、放熱板３７の被係止片３７ａに、バネ保持体２４の係止片２７を上側から引っ掛けるようにして、バネ保持体２４を枠体２１の筒部２２にネジ止めする。この時、光源ユニット３０は鍔部２３の上側に載せられるとともに、取付板３５の側片３５ｂ及び横カバー３６が筒部２２の内側面に当接し、さらに放熱板３７の被係止片３７ａに係止片２７が係止することによって、光源ユニット３０が枠体２１に保持される、尚、光源ユニット３０は、ＬＥＤ３１が配置された前面が、施工状態において外側を向くように枠体２１に載置されており、ＬＥＤ３１の発光は透光パネル３９と枠体２１の開口とを通して外部に照射される。
【００３２】
次にＬＥＤ照明器具１の施工方法について図２を参照して説明する。尚、器具本体１０には予め点灯装置５０ａ，５０ｂと端子台５１，５２が取り付けられ、点灯ユニット２０は予め組立が完了しているものとして説明を行う。
【００３３】
先ず施工者は、天井材１００の埋込孔１０１から引き出された電源線Ｌ１及び調光信号線Ｌ２を、器具本体１０の挿通孔１７ａ，１７ｂに通して器具本体１０内に導入する。施工者は、器具本体１０を埋込孔１０１に挿入して、埋込ボルト１０２を挿通孔１４に通すとともに、この埋込ボルト１０２に座金１５を通し、ナット１６で締め付けることによって、器具本体１０を建築躯体に固定する。
【００３４】
その後、施工者は、電源線Ｌ１を電源用の端子台５１に接続するとともに、調光信号線Ｌ２を調光信号用の端子台５２に接続する。また施工者は、ケーブル５３の一端側に接続されたコネクタ（ソケット又はプラグ）をコネクタ３２ａに接続するとともに、ケーブル５３の他端側に接続されたコネクタ５４（ソケット又はプラグ）を、点灯装置５０ａ，５０ｂからのケーブル５５に接続されたコネクタ５６（プラグ又はソケット）に接続する。
【００３５】
次に、施工者は、一方のバネ保持体２４に設けられたキックバネ６０の両腕部６２を撓ませて、支持片１８ａの凹溝内に腕部６２を挿入し、引掛部６３を凹溝の周縁部に引っ掛けることによって、点灯ユニット２０を器具本体１０に仮吊りさせた状態とする。その後、施工者は、他方のバネ保持体２４に設けられたキックバネ６０の両腕部６２を撓ませて、支持片１８ａの凹溝内に腕部６２を挿入し、引掛部６３を凹溝の周縁部に引っ掛けることによって、点灯ユニット２０が器具本体１０から吊り下げられた状態とする。そして、施工者が、点灯ユニット２０を器具本体１０側に押し込むと、キックバネ６０の両腕部６２が互いに離れる方向に拡がり、キックバネ６０のバネ力によって、枠体２１の鍔部２３が器具本体１０の開口縁に当接した状態で点灯ユニット２０が器具本体１０に保持される。
【００３６】
尚、メンテナンスなどのために点灯ユニット２０を取り外す際は、施工者が、キックバネ６０のバネ力に抗して枠体２１を下側に引っ張ると、キックバネ６０の両腕部６２が互いに近付く方向に撓められることによって、点灯ユニット２０が下側に下ろされる。そして、両腕部６２の先端に設けた引掛部６３が、支持片１８ａに設けられた凹溝の周縁部に当接することによって、点灯ユニット２０が器具本体１０から吊り下げられた状態となる。この状態で、キックバネ６０の両腕部６２を撓ませて、支持片１８ａの凹溝から外せば、点灯ユニット２０を器具本体１０から取り外すことができる。
【００３７】
以上説明したように、本実施形態のＬＥＤ照明器具１は、器具本体１０と、枠体２１と、光源ユニット３０と、放熱板３７と、キックバネ６０と、バネ保持体２４と、係止片２７とを備えている。器具本体１０は、一面に開口が設けられ、開口を下側にして施工される。枠体２１は、器具本体１０の開口に取り付けられる。光源ユニット３０は、前面側にＬＥＤ３１が配置され、前面が外側を向くようにして枠体２１に載せられる。放熱板３７は光源ユニット３０の背面に設けられている。キックバネ６０は、ばね線に曲げ加工を施してＶ字状に形成され、中央部（コイル部６１）から延出する両側の腕部６２が自由状態において外側に拡開するとともに、両側の腕部６２が器具本体１０に設けられたバネ受け１８に支持される。バネ保持体２４にはキックバネ６０の中央部が連結される。係止片２７（係止部）は、バネ保持体２４に設けられ、光源ユニット３０及び放熱板３７が載せられた枠体２１にバネ保持体２４が取り付けられた状態で、放熱板３７が備える被係止片３７ａ（被係止部）に引っ掛けられる。
【００３８】
これにより、点灯ユニット２０が器具本体１０に仮吊りされた状態でも、枠体２１に取り付けられるバネ保持体２４の係止片２７が、放熱板３７に設けられた被係止片３７ａに引っ掛けられているから、重量物である光源ユニット３０や放熱板３７が枠体２１に載せられていたとしても、係止片２７及び被係止片３７ａが変形しにくく、光源ユニット３０及び放熱板３７を強固に保持することができる。また係止片２７はバネ保持体２４に設けられるとともに、被係止片３７ａは放熱板３７に設けられているので、係止片２７や被係止片３７ａを設けるために、新たな部材を追加する必要が無く、部品数を低減できる。
【００３９】
また、このＬＥＤ照明器具１では、被係止片３７ａは、放熱板３７の端縁の略全体を折り曲げて形成されるとともに、係止片２７は、バネ保持体２４の端縁の略全体を折り曲げて形成されている。
【００４０】
これにより、被係止片３７ａ及び係止片２７が端縁の一部分を折り曲げて形成された場合に比べて、被係止片３７ａ及び係止片２７の強度が向上し、光源ユニット３０や放熱板３７の保持力を高めることができる。
【００４１】
また、このＬＥＤ照明器具１では、バネ保持体２４が熱伝導性を有する材料で形成されている。
【００４２】
これにより、放熱板３７の熱が、被係止片３７ａに係止片２７が係止するバネ保持体２４へ伝わりやすくなるので、ＬＥＤ基板３２の発熱が放熱されやすくなり、放熱性を向上させることができる。
【符号の説明】
【００４３】
１  ＬＥＤ照明器具
１０  器具本体
２０  点灯ユニット
２１  枠体
２４  バネ保持体
２７  係止片（係止部）
３０  光源ユニット
３１  ＬＥＤ
３２  ＬＥＤ基板
３７  放熱板
３７ａ  被係止片（被係止部）
６０  キックバネ
６１  コイル部（中央部）
６２  腕部
６３  引掛部
６５  連結金具
【図１】
0005600607.tif 000002
【図２】
0005600607.tif 000003
【図３】
0005600607.tif 000004
【図４】
0005600607.tif 000005
【図５】
0005600607.tif 000006
【図６】
0005600607.tif 000007
【図７】
0005600607.tif 000008